(57)【要約】【課題】  少なくとも２つの同軸指針を有するメータ装置において、指針を個別に発光させることを可能にする。【解決手段】  メータ装置１は、計器盤面１１と、同軸モータ１２と、第１ＬＥＤ４１と、第２ＬＥＤ４２と、下方ユニット２０、及び、上方ユニット３０とを備えている。このとき、上方ユニット３０は、第２ＬＥＤ４２からの光を第２指針部３３へ導く光路となる透明部材で形成された上固着部３１及び上アーム部３２を有している。一方、下方ユニット２０は、第１ＬＥＤ４１からの光を第１指針部２４へ導く光路となる導光部２３を有している。また、下方ユニット２０は、第２ＬＥＤ４２からの光が第１指針部２４へ導かれないように阻止する非導光部である下アーム部２２を有している。【選択図】図１
2014098660.tif 000002
【特許請求の範囲】
【請求項１】
計器盤面と、
前記計器盤面に垂直な単一の軸線で回動する複数の回転軸を有する同軸モータと、
前記回転軸の近傍に配置される中心光源と、
前記中心光源よりも前記回転軸から離れた位置に配置される周辺光源と、
前記回転軸から垂直方向に延設され前記回転軸と共に回動し、光を導くことで発光して前記計器盤面を指し示す指針部を有する複数のユニットと、を備え、
前記複数のユニットは、前記中心光源からの光を前記指針部へ導く光路を有する第１ユニット、及び、前記周辺光源からの光を前記指針部へ導く光路を有すると共に前記中心光源からの光が前記指針部へ導かれないように阻止する非導光部を有する第２ユニットで構成されていること
を特徴とするメータ装置。
【請求項２】
請求項１に記載のメータ装置において、
前記中心光源及び前記周辺光源の各光源を互いに独立して制御可能なマイコンをさらに備えていること
を特徴とするメータ装置。
【請求項３】
請求項１又は２に記載のメータ装置において、
前記第２ユニットは、前記回転軸と反対側の端部に、前記計器盤面の上面側に配置される前記指針部へ光を導く光路を構成し、前記計器盤面の端縁部外側において下面側から上面側へ延びる導光部を有し、
前記非導光部は、前記回転軸と前記導光部との途中に設けられていること
を特徴とするメータ装置。
【請求項４】
請求項３に記載のメータ装置において、
前記計器盤面の下面側であって前記複数のユニットの背面側に、前記回転軸に垂直に配置された基板をさらに備え、
前記周辺光源は、前記導光部の可動範囲を網羅するように、前記基板上に円弧状に並べて設けられていること
を特徴とするメータ装置。
【請求項５】
請求項３に記載のメータ装置において、
前記周辺光源は、前記導光部に設けられており、前記導光部と共に可動すること
を特徴とするメータ装置。
【請求項６】
請求項１〜５の何れか一項に記載のメータ装置において、
前記中心光源は、前記回転軸の周囲に均等に並べて配置されていること
を特徴とするメータ装置。
【請求項７】
請求項１〜６の何れか一項に記載のメータ装置において、
前記中心光源と前記周辺光源とは、互いに異なる発光色となっていること
を特徴とするメータ装置。
【発明の詳細な説明】
【技術分野】
【０００１】
本発明は、車両の情報を表示するための１つの計器盤面上に少なくとも２つの同軸指針を有するメータ装置に関する。
【背景技術】
【０００２】
従来、１つの計器盤面上に少なくとも２つの同軸指針を有するメータ装置が知られている。このとき、目盛りや数字などが表示された計器盤面に対し当該指針の位置を明瞭にするため、光を透過する透明部材で指針を構成することにより、ＬＥＤなどの光を導き指針を発光させる技術が周知となっている（例えば、特許文献１参照）。
【０００３】
特許文献１に記載された発明では、上下に配置された指針を発光させるため、指針の回転軸の部分に、共通の光源を設けるようにしている。
【先行技術文献】
【特許文献】
【０００４】
【特許文献１】特開２００２−２７７２９０号公報
【発明の概要】
【発明が解決しようとする課題】
【０００５】
ところで、運転者などへ提示される情報が多様化している現状では、指針が示す計器盤面に重ねて別の情報を表示したいという要求がある。また、目盛りや数字などのパターンが切り換えられる異なる意匠バージョンを１つの計器盤面が有する場合、一方のバージョンでは指針が２つ必要であるものの、他方のバージョンでは指針が１つで足り、各々のバージョンで必要となる指針の本数が異なる場合がある。これらの場合、発光する指針が邪魔になることがあり、２つの指針を有するメータ装置である場合、一方の指針を発光させ、他方の指針を発光させないという制御が求められる。
【０００６】
しかしながら、上記特許文献１では、２つの指針を発光させる光源が共通になっているため、２つの指針を個別に発光させることはできない。
本発明は、上述した課題を解決するためになされたものであり、その目的は、少なくとも２つの同軸指針を有するメータ装置において、指針を個別に発光させることを可能にすることにある。
【課題を解決するための手段】
【０００７】
上記目的を達成するためになされた請求項１に記載のメータ装置（１）は、計器盤面（１１）と、同軸モータ（１２）と、中心光源（４２，７２）と、周辺光源（４１，７１）と、複数のユニット（２０，３０，５０，６０）とを備えている。
【０００８】
同軸モータは、計器盤面に垂直な単一の軸線で回動する複数の回転軸（１３，１４）を有する。中心光源は、回転軸の近傍に配置される。この中心光源よりも回転軸から離れた位置に配置されるのが、周辺光源である。
【０００９】
複数のユニットは、回転軸から垂直方向に延設され回転軸と共に回動し、光を導くことで発光して計器盤面を指し示す指針部を有する。
ここで特に本発明では、複数のユニットが、第１ユニット（３０，５０）、及び、第２ユニット（２０，６０）で構成されている。
【００１０】
第１ユニットは、中心光源からの光を指針部（３３，５４）へ導く光路（３１，３２，５１，５２，５３）を有する。一方、第２ユニットは、周辺光源からの光を指針部（２４，６３）へ導く光路（２３，６４）を有すると共に中心光源からの光が指針部（３３，５４）へ導かれないように阻止する非導光部（２２，６１，６２）を有する。
【００１１】
つまり、中心光源からの光で指針部を発光させる第１ユニットとは別に、周辺光源からの光で指針部を発光させる第２ユニットを設け、さらに、第２ユニットには、中心光源からの光が指針部へ導かれないようにするための非導光部を設けた。このとき、中心光源と周辺光源とを独立して制御するようにすれば、第１ユニットの有する指針部と、第２ユニットの有する指針部とを個別に発光させることができる。すなわち、同軸指針を有するメータ装置において、指針を個別に発光させることができる。
【００１２】
なお、２以上の第１ユニットを有する構成であってもよいし、２以上の第２ユニットを有する構成であってもよい。２以上の第２ユニットを有する場合、独立して制御可能な周辺光源を各第２ユニットに対応させて設けるようにすれば、ある第２ユニットが有する指針部と別の第２ユニットが有する指針部とを個別に発光させることもできる。
【００１３】
このような光源の制御はマイコンで行うことが考えられる。そこで、中心光源及び周辺光源の各光源をそれぞれ独立して制御可能なマイコンをさらに備えていることとしてもよい。
【図面の簡単な説明】
【００１４】
【図１】（ａ）は第１実施形態のメータ装置の概略平面図であり、（ｂ）は（ａ）のＩＢ−ＩＢ線概略断面図である。
【図２】（ａ）は第２実施形態のメータ装置の概略平面図であり、（ｂ）は（ａ）のＩＩＢ−ＩＩＢ線概略断面図である。
【図３】（ａ）は第１実施形態のメータ装置のバリエーションを示す概略断面図であり、（ｂ）は第２実施形態のメータ装置のバリエーションを示す概略断面図である。
【発明を実施するための形態】
【００１５】
以下、本発明の実施形態を図面に基づいて説明する。
［第１実施形態］
図１（ａ）及び（ｂ）に示すように、メータ装置１は、長方形の基板１０上に構成されている。基板１０の上方には、円形の計器盤面１１がネジ（不図示）などによって固定されている。この計器盤面１１の上面には、目盛りや数字が記載されている。
【００１６】
計器盤面１１の中心部分に合わせ、基板１０の裏側に、同軸モータ１２が取り付けられている。同軸モータ１２は、同軸の２つの回転軸１３，１４を有しており、これら回転軸１３，１４を別個に回動可能となっている。回転軸１３，１４は、基板１０に垂直に、基板１０の上面側へ突出している。回転軸１３，１４は基板１０に垂直な軸線で回転するようになっており、一方の回転軸１３は円筒形状となっている。また、他方の回転軸１４は、棒状で、円筒形状の回転軸１３の内部を貫通し、回転軸１３の上方へ突出している。同軸モータ１２は、図１（ｂ）に示すように、マイコン１５によって制御される。
【００１７】
一方の回転軸１３には、下方ユニット２０が取り付けられている。下方ユニット２０は、計器盤面１１を上下から挟むような断面コ字状となっており、下固着部２１、下アーム部２２、導光部２３、及び、第１指針部２４を有している。
【００１８】
下固着部２１は、回転軸１３，１４に垂直な断面において円形を呈する円柱形状であり、透明部材で構成されている。この下固着部２１は、回転軸１３に対して圧入固定されている。
【００１９】
下アーム部２２は、下固着部２１から計器盤面１１の下面側で半径方向外側へ延びる直方体形状の部材である。この下アーム部２２は、光を透過させない非導光部となっている。
【００２０】
導光部２３は、下アーム部２２と同様の直方体形状となっており、下アーム部２２の先端から垂直上方へ延びており、計器盤面１１の端縁部外側を通り、計器盤面１１の上面側へ突出している。導光部２３には、その上面に、半径方向外側へいくに連れて下方へ傾斜するテーパ２３ａが形成されている。
【００２１】
第１指針部２４は、透明部材であり、導光部２３の上端から、計器盤面１１の上面に沿って、半径方向内側へ延びている。第１指針部２４は、図１（ａ）から分かるように、その横幅が下アーム部２２の半分程度となっており、計器盤面１１の半径のおおよそ半分の位置よりも外側に位置している。
【００２２】
かかる構成により、回転軸１３の回動により、下方ユニット２０は、計器盤面１１の外周に沿って円周方向へ回動することになる。
また、他方の回転軸１４には、上方ユニット３０が取り付けられている。上方ユニット３０は、上固着部３１、上アーム部３２、及び、第２指針部３３を有している。
【００２３】
上固着部３１は、下固着部２１と同様、回転軸に垂直な断面において円形を呈する円柱形状であり、透明部材で構成されている。この上固着部３１は、回転軸１４に対して圧入固定されている。上固着部３１には、その上面に、後述する上アーム部３２から離れるに連れて下方へ傾斜するテーパ３１ａが形成されている。
【００２４】
上アーム部３２は、上固着部３１から計器盤面１１の上面側で半径方向外側へ延びる直方体形状の部材であり、透明部材で構成されている。
第２指針部３３は、透明部材であり、上アーム部３２の先端からさらに計器盤面１１の半径方向外側へ延びている。この第２指針部３３は、図１（ａ）から分かるように、その横幅が上アーム部３２の半分程度となっており、計器盤面１１の半径のおおよそ半分の位置よりも外側に位置している。
【００２５】
かかる構成により、回転軸１４の回動により、上方ユニット３０は、計器盤面１１の外周に沿って円周方向へ回動することになる。
また、基板１０の上面には、第１指針用の複数個（本実施形態では７個）の第１発光ダイオード（以下「第１ＬＥＤ」という）４１が計器盤面１１の外周に沿って、計器盤面１１よりも外側に円弧状に並べて配置されている。この第１ＬＥＤ４１は、下方ユニット２０の可動範囲に配置されており、下方ユニット２０の回動位置がどこにあっても導光部２３へ光を照射する。第１ＬＥＤ４１は、マイコン１５によって、その点灯／消灯が制御可能となっている。
【００２６】
上述した下方ユニット２０において、導光部２３が透明部材で構成されることは既に述べたが、第１ＬＥＤ４１との対抗面（図１（ｂ）中に記号Ａで示す面）及び第１指針部２４との連結面（記号Ｂで示す面）が透明になっており、残る表面は、光を透過させない黒色などの塗料又はカバーで覆われている。
【００２７】
かかる構成により、マイコン１５によって第１ＬＥＤ４１が点灯されると、図１（ｂ）に実線の矢印で示すように、第１ＬＥＤ４１からの光は、導光部２３を介し、第１指針部２４へ導かれる。これにより、第１指針部２４が発光し、メモリや数字などが表示された計器盤面１１に対し当該第１指針部２４の位置が明瞭に示される。例えば、第１ＬＥＤ４１は赤色ＬＥＤとなっており、第１指針部２４が赤色に発光するという具合である。
【００２８】
また、基板１０の上面には、第２指針用の複数個（本実施形態では４個）の第２発光ダイオード（以下「第２ＬＥＤ」という）４２が回転軸１３の周囲に均等に並べられている。この第２ＬＥＤ４２は、下固着部２１の下方に位置している。第２ＬＥＤ４２も、マイコン１５によって、その点灯／消灯が制御可能となっている。ここで、第１ＬＥＤ４１の点灯／消灯とは別個に、第２ＬＥＤ４２を点灯／消灯させることが可能となっている。
【００２９】
上述した上方ユニット３０において、上固着部３１及び上アーム部３２が透明部材で構成されることは既に述べたが、下固着部２１との対抗面（図１（ｂ）中に記号Ｃで示す面）及び第２指針部３３との連結面（記号Ｄで示す面）が透明になっており、残る表面は、光を透過させない黒色などの塗料又はカバーで覆われている。
【００３０】
かかる構成により、マイコン１５によって第２ＬＥＤ４２が点灯されると、図１（ｂ）に破線の矢印で示すように、第２ＬＥＤ４２からの光は、下固着部２１を通過し、上固着部３１及び上アーム部３２を介して、第２指針部３３へ導かれる。これにより、第２指針部３３が発光し、メモリや数字などが表示された計器盤面１１に対し当該第２指針部３３の位置が明瞭に示される。例えば、第２ＬＥＤ４２は青色ＬＥＤとなっており、第２指針部３３が青色に発光するという具合である。
【００３１】
特に本実施形態では、下方ユニット２０の下アーム部２２を非導光部としたことにより、第２ＬＥＤ４２からの光が下方ユニット２０の導光部２３（ひいては第１指針部２４）へ導かれない。また、第１ＬＥＤ４１からの光が上方ユニット３０の上アーム部３２（ひいては第２指針部３３）へ導かれない。したがって、マイコン１５によって第１ＬＥＤ４１が点灯され第２ＬＥＤ４２が消灯されると、第１指針部２４だけが発光する。また、第１ＬＥＤ４１が消灯され第２ＬＥＤ４２が点灯されると、第２指針部３３だけが発光する。
【００３２】
以上詳述したように、本実施形態のメータ装置１は、計器盤面１１と、同軸モータ１２と、第１ＬＥＤ４１と、第２ＬＥＤ４２と、下方ユニット２０、及び、上方ユニット３０とを備えている。
【００３３】
このとき、上方ユニット３０は、第２ＬＥＤ４２からの光を第２指針部３３へ導く光路となる透明部材で形成された上固着部３１及び上アーム部３２を有している。一方、下方ユニット２０は、第１ＬＥＤ４１からの光を第１指針部２４へ導く光路となる導光部２３を有している。また、下方ユニット２０は、第２ＬＥＤ４２からの光が第１指針部２４へ導かれないように阻止する非導光部である下アーム部２２を有している。
【００３４】
これにより、第１ＬＥＤ４１と第２ＬＥＤ４２とを独立して制御するようにすれば、第１指針部２４と第２指針部３３とを個別に発光させることができる。
また、本実施形態では、マイコン１５によって第１ＬＥＤ４１を点灯し第２ＬＥＤ４２を消灯して、第１指針部２４だけを発光させる。また、マイコン１５によって第１ＬＥＤ４１を消灯し第２ＬＥＤ４２を点灯して、第２指針部３３だけを発光させる。すなわち、第１ＬＥＤ４１及び第２ＬＥＤ４２の各光源を互いに独立して制御可能なマイコン１５を備えている。これにより、指針部２４，３３の点灯／消灯の制御が比較的簡単に行える。
【００３５】
さらにまた、本実施形態では、下アーム部２２を非導光部とし、下固着部２１と導光部２３との途中に設けている。すなわち、下方ユニット２０は、回転軸１３と反対側の端部に、計器盤面１１の上面側に配置される第１指針部２４へ光を導く光路を構成し、計器盤面１１の端縁部外側において下面側から上面側へ延びる導光部２３を有し、非導光部である下アーム部２２は、回転軸１３と導光部２３との途中に設けられている。これにより、比較的簡単な構成で、第２ＬＥＤ４２からの光が導光部２３（ひいては第１指針部２４）へ導かれることを阻止できる。
【００３６】
また、本実施形態では、第１ＬＥＤ４１が計器盤面１１の外周に沿って、計器盤面１１よりも外側に円弧状に並べて配置されており、下方ユニット２０の回動位置がどこにあっても導光部２３へ光を照射する。すなわち、計器盤面１１の下面側であって下方ユニット２０及び上方ユニット３０の背面側に、回転軸１３，１４に垂直に配置された基板１０を備え、第１ＬＥＤ４１は、導光部２３の可動範囲を網羅するように、基板１０上に円弧状に並べて設けられている。これにより、下方ユニット２０の回動位置によらず第１指針部２４へ第１ＬＥＤ４１からの光を供給することができる。
【００３７】
さらにまた、本実施形態では、第２ＬＥＤ４２が回転軸１３の周囲に均等に並べて配置されている。これにより、上方ユニット３０が回動しても、第２指針部３３に対し同様の光量の光を導くことができる。
【００３８】
また、本実施形態では、例えば、第１ＬＥＤ４１は赤色ＬＥＤとなっており、第２ＬＥＤ４２は青色ＬＥＤとなっている。すなわち、第２ＬＥＤ４２と第１ＬＥＤ４１とは、互いに異なる発光色となっている。これにより、第１指針部２４と第２指針部３３とを異なる色で発光させることができる。
【００３９】
［第２実施形態］
本実施形態は、上記実施形態における下方ユニット２０及び上方ユニット３０の構造を異にするものである。したがって、異なる部分を中心に説明することとし、同一の構成部分には同一の符号を付して説明を割愛する。
【００４０】
図２（ａ）及び（ｂ）に示すように、メータ装置２において、同軸モータ１２の一方の回転軸１３には、下方ユニット５０が取り付けられている。下方ユニット５０は、上記下方ユニット２０と同様、計器盤面１１を挟むような断面コ字状となっており、下固着部５１、下アーム部５２、連結部５３、及び、第１指針部５４を有している。
【００４１】
下固着部５１は、回転軸１３，１４に垂直な断面において円形を呈する円柱形状であり、透明部材で構成されている。この下固着部５１は、回転軸１３に対して圧入固定されている。
【００４２】
下アーム部５２は、下固着部５１から計器盤面１１の下面側で半径方向外側へ延びる直方体形状の部材である。この下アーム部５２は、光を透過させる透明部材で構成されている点で、上記実施形態の下アーム部２２と異なる。
【００４３】
連結部５３は、下アーム部５２と同様の直方体形状となっており、下アーム部５２の先端から垂直上方へ延びており、計器盤面１１の端縁部外側を通り、計器盤面１１の上面側へ突出している。連結部５３には、その上面に、半径方向外側へいくに連れて下方へ傾斜するテーパ５３ａが形成されている。
【００４４】
第１指針部５４は、透明部材であり、連結部５３の上端から、計器盤面１１の上面に沿って、半径方向内側へ延びている。第１指針部５４は、図２（ａ）から分かるように、その横幅が下アーム部５２の半分程度となっており、計器盤面１１の半径のおおよそ半分の位置よりも外側に位置している。
【００４５】
かかる構成により、回転軸１３の回動により、下方ユニット５０は、計器盤面１１の外周に沿って円周方向へ回動することになる。
また、他方の回転軸１４には、上方ユニット６０が取り付けられている。上方ユニット６０は、上固着部６１、上アーム部６２、第２指針部６３、及び、導光部６４を有している。
【００４６】
上固着部６１は、下固着部５１と同様、回転軸に垂直な断面において円形を呈する円柱形状である。この上固着部６１は、回転軸１４に対して圧入固定されている。上固着部６１には、その上面に、後述する上アーム部６２から離れるに連れて下方へ傾斜するテーパ６１ａが形成されている。
【００４７】
上アーム部６２は、上固着部６１から計器盤面１１の上面側で半径方向外側へ延びる直方体形状の部材である。
ここで、上固着部６１及び上アーム部６２が光を透過させない非導光部となっている点で、上記実施形態の上固着部３１及び上アーム部３２と異なる。
【００４８】
第２指針部６３は、透明部材であり、上アーム部６２の先端からさらに計器盤面１１の半径方向外側へ延びている。この第２指針部６３は、図２（ａ）から分かるように、その横幅が上アーム部６２の半分程度となっており、計器盤面１１の半径のおおよそ半分の位置よりも外側に位置している。
【００４９】
かかる構成により、回転軸１４の回動により、上方ユニット６０は、計器盤面１１の外周に沿って円周方向へ回動することになる。
導光部６４は、下方ユニット５０の連結部５３と同様の構造であり、直方体形状となっており、第２指針部６３の先端から垂直下方へ延びており、計器盤面１１の端縁部外側を通り、計器盤面１１の下面側へ突出している。導光部６４には、その上面に、半径方向外側へいくに連れて下方へ傾斜するテーパ６４ａが形成されている。
【００５０】
また、基板１０の上面には、第２指針用の複数個（本実施形態では７個）の第１発光ダイオード（以下「第１ＬＥＤ」という）７１が計器盤面１１の外周に沿って、計器盤面１１よりも外側に円弧状に並べて配置されている。この第１ＬＥＤ７１は、上方ユニット６０の可動範囲に配置されており、上方ユニット６０の回動位置がどこにあっても導光部６４へ光を照射する。第１ＬＥＤ７１は、マイコン１５によって、その点灯／消灯が制御可能となっている。
【００５１】
上述した上方ユニット６０において、導光部６４が透明部材で構成されることは既に述べたが、第１ＬＥＤ７１との対抗面（図２（ｂ）中に記号Ｅで示す面）及び第２指針部６３との連結面（記号Ｆで示す面）が透明になっており、残る表面は、光を透過させない黒色などの塗料又はカバーで覆われている。
【００５２】
かかる構成により、マイコン１５によって第１ＬＥＤ７１が点灯されると、図２（ｂ）に実線の矢印で示すように、第１ＬＥＤ７１からの光は、導光部６４を介し、第２指針部６３へ導かれる。これにより、第２指針部６３が発光し、メモリや数字などが表示された計器盤面１１に対し当該第２指針部６３の位置が明瞭に示される。例えば、第１ＬＥＤ７１は青色ＬＥＤとなっており、第２指針部６３が青色に発光するという具合である。
【００５３】
また、基板１０の上面には、第１指針用の複数個（本実施形態では４個）の第２発光ダイオード（以下「第２ＬＥＤ」という）７２が回転軸１３の周囲に均等に並べられている。この第２ＬＥＤ７２は、下固着部５１の下方に位置している。第２ＬＥＤ７２も、マイコン１５によって、その点灯／消灯が制御可能となっている。ここで、第１ＬＥＤ７１の点灯／消灯とは別個に、第２ＬＥＤ７２を点灯／消灯させることが可能となっている。
【００５４】
上述した下方ユニット５０において、連結部５３が透明部材で構成されることは既に述べたが、下アーム部５２との連結面（図２（ｂ）中に記号Ｇで示す面）及び第１指針部５４との連結面（記号Ｈで示す面）が透明になっており、残る表面は、光を透過させない黒色などの塗料又はカバーで覆われている。
【００５５】
かかる構成により、マイコン１５によって第２ＬＥＤ７２が点灯されると、図２（ｂ）に破線の矢印で示すように、第２ＬＥＤ７２からの光は、下固着部５１、下アーム部５２及び連結部５３を介し、第１指針部５４へ導かれる。これにより、第１指針部５４が発光し、メモリや数字などが表示された計器盤面１１に対し当該第１指針部５４の位置が明瞭に示される。例えば、第２ＬＥＤ７２は赤色ＬＥＤとなっており、第１指針部５４が赤色に発光するという具合である。
【００５６】
特に本実施形態では、上方ユニット６０の上固着部６１及び上アーム部６２を非導光部としたことにより、第２ＬＥＤ７２からの光が上方ユニット６０の第２指針部６３へ導かれない。また、第１ＬＥＤ７１からの光が下方ユニット５０の下固着部５１（ひいては第１指針部５４）へ導かれない。したがって、マイコン１５によって第１ＬＥＤ７１が点灯され第２ＬＥＤ７２が消灯されると、第２指針部６３だけが発光する。また、第１ＬＥＤ７１が消灯され第２ＬＥＤ７２が点灯されると、第１指針部５４だけが発光する。
【００５７】
以上詳述したように、本実施形態のメータ装置２は、計器盤面１１と、同軸モータ１２と、第１ＬＥＤ７１と、第２ＬＥＤ７２と、下方ユニット５０、及び、上方ユニット６０とを備えている。
【００５８】
このとき、下方ユニット５０は、第２ＬＥＤ７２からの光を第１指針部５４へ導く光路となる透明部材で形成された下固着部５１、下アーム部５２及び連結部５３を有している。一方、上方ユニット６０は、第１ＬＥＤ７１からの光を第２指針部６３へ導く光路となる導光部６４を有している。また、上方ユニット６０は、第２ＬＥＤ７２からの光が第２指針部６３へ導かれないように阻止する非導光部である上固着部６１及び上アーム部６２を有している。
【００５９】
これにより、第１ＬＥＤ７１と第２ＬＥＤ７２とを独立して制御するようにすれば、第１指針部５４と第２指針部６３とを個別に発光させることができる。
また、本実施形態では、マイコン１５によって第１ＬＥＤ７１を点灯し第２ＬＥＤ７２を消灯して、第２指針部６３だけを発光させる。また、マイコン１５によって第１ＬＥＤ７１を消灯し第２ＬＥＤ７２を点灯して、第１指針部５４だけを発光させる。すなわち、第１ＬＥＤ７１及び第２ＬＥＤ７２の各光源を互いに独立して制御可能なマイコン１５を備えている。これにより、指針部５４，６３の点灯／消灯の制御が比較的簡単に行える。
【００６０】
さらにまた、本実施形態では、上固着部６１及び上アーム部６２を非導光部とし、下固着部５１と導光部６４との途中に設けている。すなわち、上方ユニット６０は、回転軸１４と反対側の端部に、計器盤面１１の上面側に配置される第２指針部６３へ光を導く光路を構成し、計器盤面１１の端縁部外側において下面側から上面側へ延びる導光部６４を有し、非導光部である上固着部６１及び上アーム部６２は、回転軸１４と導光部６４との途中に設けられている。これにより、比較的簡単な構成で、第２ＬＥＤ７２からの光が第２指針部６３へ導かれることを阻止できる。
【００６１】
また、本実施形態では、第１ＬＥＤ７１が計器盤面１１の外周に沿って、計器盤面１１よりも外側に円弧状に並べて配置されており、上方ユニット６０の回動位置がどこにあっても導光部６４へ光を照射する。すなわち、計器盤面１１の下面側であって下方ユニット５０及び上方ユニット６０の背面側に、回転軸１３，１４に垂直に配置された基板１０を備え、第１ＬＥＤ７１は、導光部６４の可動範囲を網羅するように、基板１０上に円弧状に並べて設けられている。これにより、上方ユニット６０の回動位置によらず第２指針部６３へ第１ＬＥＤ７１からの光を供給することができる。
【００６２】
さらにまた、本実施形態では、第２ＬＥＤ７２が回転軸１３の周囲に均等に並べて配置されている。これにより、下方ユニット５０が回動しても、第１指針部５４に対し同様の光量の光を導くことができる。
【００６３】
また、本実施形態では、例えば、第１ＬＥＤ７１は青色ＬＥＤとなっており、第２ＬＥＤ７２は赤色ＬＥＤとなっている。すなわち、第１ＬＥＤ７１と第２ＬＥＤ７２とは、互いに異なる発光色となっている。これにより、第１指針部５４と第２指針部６３とを異なる色で発光させることができる。
【００６４】
以上、本発明は、上述した実施形態に何ら限定されるものではなく、その技術的範囲を逸脱しない限り、種々なる形態で実施可能である。
（イ）上記第１実施形態では、第１ＬＥＤ４１を基板１０上に円弧状に並べて配置している（図１（ａ）参照）。これに対し、図３（ａ）に示すように、下方ユニット２０の導光部２３の下部に、第１ＬＥＤ４３を配置してもよい。すなわち、第１ＬＥＤ４３は、導光部２３に設けられており、導光部２３と共に可動する。このようにすれば、ＬＥＤの個数を例えば１個という具合に抑えることができる。また、下方ユニット２０の可動範囲に応じてＬＥＤを配置する必要がなくなる。
【００６５】
（ロ）同様に、上記第２実施形態では、第１ＬＥＤ７１を基板１０上に円弧状に並べて配置している（図２（ａ）参照）。これに対し、図３（ｂ）に示すように、上方ユニット６０の導光部６４の下部に、第１ＬＥＤ７３を配置してもよい。すなわち、第１ＬＥＤ７３は、導光部６４に設けられており、導光部６４と共に可動する。このようにすれば、ＬＥＤの個数を例えば１個という具合に抑えることができる。また、上方ユニット６０の可動範囲に応じてＬＥＤを配置する必要がなくなる。
【００６６】
（ハ）上記実施形態ではいずれも、第１ＬＥＤ４１，７１及び第２ＬＥＤ４２，７２の点灯／消灯をマイコン１５によって制御しているが、点灯状態において、第１ＬＥＤ４１，７１と第２ＬＥＤ４２，７２とで、その輝度を異ならせるような制御を行うようにしてもよい。
【符号の説明】
【００６７】
１，２…メータ装置、１０…基板、１１…計器盤面、１２…同軸モータ、１３，１４…回転軸、１５…マイコン、２０，５０…下方ユニット、２１，５１…下固着部、２２，５２…下アーム部、２３，６４…導光部、５３…連結部、２４，５４…第１指針部、３０，６０…上方ユニット、３１，６１…上固着部、３２，６２…上アーム部、３３，６３…第２指針部、２３ａ，３１ａ，５３ａ，６１ａ，６４ａ…テーパ
【図１】
2014098660.tif 000003
【図２】
2014098660.tif 000004
【図３】
2014098660.tif 000005